(57)【要約】【課題】  強アルカリ性の洗浄剤組成物であり、かつ、貯蔵後の粘度低下が抑制されたアルカリ洗浄剤組成物を提供すること。【解決手段】  アルカリ剤（Ａ）、多糖類増粘剤（Ｂ）、及び、酸化防止剤（Ｃ）を含み、ｐＨが１２以上であることを特徴とするアルカリ洗浄剤組成物。【選択図】  なし【特許請求の範囲】
【請求項１】
アルカリ剤（Ａ）、
多糖類増粘剤（Ｂ）、及び、
酸化防止剤（Ｃ）を含み、
ｐＨが１２以上であることを特徴とするアルカリ洗浄剤組成物。
【請求項２】
前記酸化防止剤（Ｃ）は食品添加物である請求項１に記載のアルカリ洗浄剤組成物。
【請求項３】
前記多糖類増粘剤（Ｂ）は、キサンタンガム、カラギーナン、カルボキシメチルセルロースナトリウム、グアーガム、ペクチン及びグルコマンナンからなる群から選択された少なくとも１種である請求項１又は２のいずれかに記載のアルカリ洗浄剤組成物。
【請求項４】
前記酸化防止剤（Ｃ）の配合量が０．０１〜５．０重量％である請求項１〜３のいずれかに記載のアルカリ洗浄剤組成物。
【請求項５】
前記多糖類増粘剤（Ｂ）の配合量が０．１〜２．０重量％である請求項１〜４のいずれかに記載のアルカリ洗浄剤組成物。
【請求項６】
調合直後の粘度が２０〜２００ｍＰａ・ｓである請求項１〜５のいずれかに記載のアルカリ洗浄剤組成物。
【請求項７】
調合後３週間経過時の粘度低下率が５０％以下である請求項１〜６のいずれかに記載のアルカリ洗浄剤組成物。
【発明の詳細な説明】
【技術分野】
【０００１】
本発明は、アルカリ洗浄剤組成物に関する。
【背景技術】
【０００２】
飲食店、ホテル等の厨房、スーパーマーケット、食品工場における食品製造・加工・調理装置等の洗浄には、洗浄剤組成物が使用される。油汚れの洗浄に適した洗浄剤組成物として、アルカリ性が強いアルカリ洗浄剤組成物が使用される。
【０００３】
洗浄対象面に対して汚れが強固に付着している場合、洗浄剤組成物を汚れに対して長時間接触させることで洗浄対象面から汚れを剥離させやすくなる。
ここで、洗浄対象面が垂直面や傾斜面のような液体が流れ落ちやすい面である場合、液体の洗浄剤組成物を洗浄対象面に付着させても流れ落ちてしまうため、洗浄剤組成物と汚れとの接触時間が短くなってしまう。
このような場合には、洗浄剤組成物の粘度を高くすることによって洗浄剤組成物が洗浄対象面から流れ落ちにくいようにして、洗浄剤組成物と汚れとの接触時間を長くすることが好ましい。
【０００４】
特許文献１には、酸性多糖類を含有する水性溶液の高温における粘度低下を抑制するために、天然酸性多糖類を添加することが記載されている。
【先行技術文献】
【特許文献】
【０００５】
【特許文献１】特開平５−７０５０３号公報
【発明の概要】
【発明が解決しようとする課題】
【０００６】
本発明者らは、アルカリ洗浄剤組成物について、洗浄対象面への付着性を向上させるために洗浄剤組成物の粘度を向上させることについて検討し、特許文献１に記載されているような多糖類を増粘剤として使用することを試みた。
そして、多糖類増粘剤を使用することでアルカリ洗浄剤の粘度が向上し、洗浄剤組成物と汚れとの接触時間を長くすることができた。
【０００７】
しかしながら、このようなアルカリ洗浄剤組成物は、調合直後には適度な粘度を有していたものの、所定時間の貯蔵後に、特に、夏場等の温度が高い環境下での貯蔵後において、調合直後よりも粘度が低下してしまっていることが判明した。
【０００８】
とくに、アルカリ洗浄剤組成物が強アルカリ性の洗浄剤組成物である場合、具体的にはｐＨが１２以上のアルカリ洗浄剤組成物である場合に、貯蔵後の粘度低下が顕著に生じていた。
【０００９】
本発明は、上記問題を解決するためにされたものであり、強アルカリ性の洗浄剤組成物であり、かつ、貯蔵後の粘度低下が抑制されたアルカリ洗浄剤組成物を提供することを目的とする。
【課題を解決するための手段】
【００１０】
本発明のアルカリ洗浄剤組成物は、アルカリ剤（Ａ）、多糖類増粘剤（Ｂ）、及び、酸化防止剤（Ｃ）を含み、ｐＨが１２以上であることを特徴とする。
【００１１】
多糖類増粘剤は、アルカリ洗浄剤組成物に配合することで増粘作用を示し、洗浄剤組成物の粘度を向上させることができる。本発明者らは、多糖類増粘剤がｐＨ１２以上の強アルカリ性下においてアルカリ剤の作用により変性して増粘剤としての機能が低下することを見出した。
本発明者らは、アルカリ剤の作用による多糖類増粘剤の変性を抑制するための方法について検討した結果、アルカリ洗浄剤組成物中に酸化防止剤を加えることによって多糖類増粘剤の変性を防止することができ、貯蔵後の粘度の低下を抑制することができることを見出した。
すなわち、本発明のアルカリ洗浄剤組成物は、ｐＨが１２以上である強アルカリ性の洗浄剤組成物であって、かつ、貯蔵後の粘度低下が抑制されたアルカリ洗浄剤組成物である。
【００１２】
本発明のアルカリ洗浄剤組成物において、上記酸化防止剤（Ｃ）は食品添加物であることが好ましい。
厨房や食品製造装置の洗浄に使用する洗浄剤組成物には食品添加物として認められている成分を使用することが好ましい。
酸化防止剤が食品添加物であると、洗浄対象物の表面に洗浄剤組成物が残留しても実質的に問題が生じることがない。
【００１３】
本発明のアルカリ洗浄剤組成物において、上記多糖類増粘剤（Ｂ）は、キサンタンガム、カラギーナン、カルボキシメチルセルロースナトリウム、グアーガム、ペクチン及びグルコマンナンからなる群から選択された少なくとも１種であることが好ましい。
これらの成分は、食品添加物として認められている成分である。
【００１４】
本発明のアルカリ洗浄剤組成物においては、上記酸化防止剤（Ｃ）の配合量が０．０１〜５．０重量％であることが好ましい。
酸化防止剤の配合量が上記範囲であると、多糖類増粘剤の変性を防止する作用がより好適に発揮される。
【００１５】
本発明のアルカリ洗浄剤組成物においては、上記多糖類増粘剤（Ｂ）の配合量が０．１〜２．０重量％であることが好ましい。
多糖類増粘剤の配合量が上記範囲であると、洗浄剤組成物の粘度が適度な範囲に調整される。
【００１６】
本発明のアルカリ洗浄剤組成物は、調合直後の粘度が２０〜２００ｍＰａ・ｓであることが好ましい。洗浄剤組成物の粘度が上記範囲であると洗浄対象面に付着させた場合に流れ落ちにくく、汚れに対する接触時間を長くすることができる。
【００１７】
また、本発明のアルカリ洗浄剤組成物は、調合後３週間経過時の粘度低下率が５０％以下であることが好ましい。
調合後３週間経過時の粘度低下率は、
［（調合直後の粘度−調合後３週間経過時の粘度）／調合直後の粘度］×１００（％）で表される。
また、上記粘度低下率は、調合直後の洗浄剤組成物を４５℃のインキュベーター内で３週間保管した後に測定して求める。４５℃での保管は、粘度低下が生じやすい夏場での長期間の保管を加速的に模擬した条件である。
調合後３週間経過時の粘度低下率が上記範囲であるということは、貯蔵後の粘度の低下が抑制された、保管に適した洗浄剤組成物であることを意味する。
なお、アルカリ洗浄剤組成物の粘度の測定は、ＪＩＳ  Ｚ  ８８０３  に準拠し、Ｅ型粘度計を用いて行うことができる。
測定時の液温は２０℃、粘度計の回転数は２０ｒｐｍとする。
【発明の効果】
【００１８】
本発明のアルカリ洗浄剤組成物は、強アルカリ性の洗浄剤組成物であり、かつ、貯蔵後の粘度低下が抑制されたアルカリ洗浄剤組成物である。
【発明を実施するための形態】
【００１９】
本発明のアルカリ洗浄剤組成物は、アルカリ剤（Ａ）、多糖類増粘剤（Ｂ）、及び、酸化防止剤（Ｃ）を含み、ｐＨが１２以上であることを特徴とする。
【００２０】
本発明のアルカリ洗浄剤組成物を構成する、アルカリ剤（Ａ）、多糖類増粘剤（Ｂ）及び酸化防止剤（Ｃ）について、それぞれ説明する。
【００２１】
アルカリ剤（Ａ）としては、アルカリ金属水酸化物（水酸化ナトリウム、水酸化カリウム等）、炭酸塩又は炭酸水素塩（炭酸ナトリウム、炭酸カリウム、炭酸水素ナトリウム、炭酸水素カリウム等）、ケイ酸塩（メタケイ酸ナトリウム、セスキケイ酸ナトリウム、オルソケイ酸ナトリウム、メタケイ酸カリウム、セスキケイ酸カリウム、オルソケイ酸カリウム等）、アルカノールアミン類（モノエタノールアミン、ジエタノールアミン、トリエタノールアミン等）が好ましい。
これらのアルカリ剤は、水和物となっていてもよい。
とくに、アルカリ金属水酸化物を使用することが好ましく、水酸化ナトリウム及び水酸化カリウムからなる群から選択された少なくとも１種を使用することが好ましい。
アルカリ金属水酸化物を使用することによってｐＨが１２以上である強アルカリ性の洗浄剤組成物としやすくなる。
これらのアルカリ剤は組み合わせて使用してもよい。
【００２２】
アルカリ剤（Ａ）の含有量は好ましくは０．１〜１０重量％であり、より好ましくは１〜１０重量％である。
アルカリ剤（Ａ）の含有量が１０重量％を超えると、外観が均一透明を保ちにくくなり、０．１重量％未満であると、汚れを充分に除去しにくい。
アルカリ剤（Ａ）を複数種類含むときのアルカリ剤の含有量は、その合計量として定める。
また、本明細書における各成分の含有量は、純分としての含有量を意味する。
【００２３】
多糖類増粘剤（Ｂ）としては、食品添加物であるものが好ましい。
具体的には、キサンタンガム、カラギーナン、カルボキシメチルセルロースナトリウム、グアーガム、ペクチン及びグルコマンナンからなる群から選択された少なくとも１種であることが好ましい。
これらの中ではキサンタンガムを使用することがより好ましい。
【００２４】
多糖類増粘剤（Ｂ）の含有量は好ましくは０．１〜２．０重量％であり、より好ましくは０．１〜０．５重量％である。
多糖類増粘剤の配合量が上記範囲であると、洗浄剤組成物の粘度が適度な範囲に調整される。
多糖類増粘剤（Ｂ）を複数種類含むときの多糖類増粘剤の含有量は、その合計量として定める。
【００２５】
酸化防止剤（Ｃ）としては、食品添加物であるものが好ましい。
具体的には、ビタミンＥ、亜硫酸ナトリウム、ビタミンＣ、イソアスコルビン酸、カテキン、ジブチルヒドロキシトルエン及びブチルヒドロキシアニソールからなる群から選択された少なくとも１種であることが好ましい。
これらの成分は、食品添加物として認められている成分であり、強アルカリ性下で使用することができるために好ましい。
【００２６】
酸化防止剤（Ｃ）の含有量は好ましくは０．０１〜５．０重量％であり、より好ましくは０．１〜５．０重量％である。
酸化防止剤の配合量が上記範囲であると、多糖類増粘剤の変性を防止する作用がより好適に発揮される。
酸化防止剤（Ｃ）を複数種類含むときの酸化防止剤の含有量は、その合計量として定める。
【００２７】
本発明のアルカリ洗浄剤組成物には、その他の成分として、界面活性剤（Ｄ）、キレート剤（Ｅ）、可溶化剤（Ｆ）、溶剤（Ｇ）、水（Ｈ）、色素、香料又は防腐剤等を含有していてもよい。
【００２８】
界面活性剤（Ｄ）の種類は特に限定されないが、アニオン性界面活性剤、両性界面活性剤、ノニオン性界面活性剤が挙げられる。
アニオン性界面活性剤としては、脂肪酸塩、アルキルエーテルカルボン酸塩（ＡＥＳ）、アルカンスルホン酸塩、α−オレフィンスルホン酸塩、α−スルホメチルエステル塩、アルキルベンゼンスルホン酸塩（ＬＡＳ）、アルキルコハク酸塩、アルキル硫酸エステル塩、アルキルエーテル硫酸エステル塩等が挙げられる。
両性界面活性剤としては、アルキルアミノベタイン、アルキルアミドベタイン、アルキルアミノスルホベタイン等が挙げられる。
ノニオン性界面活性剤としては、ポリオキシアルキレンアルキルエーテル、ポリオキシアルキレンアルキルフェニルエーテル、ポリオキシアルキレン脂肪酸エステル、ポリオキシアルキレンソルビタン脂肪酸エステル、ポリグリセリン脂肪酸エステル、ソルビタン脂肪酸エステル、ショ糖脂肪酸エステル、アルキルポリグルコシド、ポリオキシエチレンメチルエーテル脂肪酸エステル、脂肪酸アルカノールアミド、ポリオキシアルキレンアルキルアミン、アルキルアミンオキシド等が挙げられる。
【００２９】
界面活性剤（Ｄ）の含有量は好ましくは０．１〜５．０重量％であり、より好ましくは１．０〜２．０重量％である。
界面活性剤（Ｄ）の含有量が５．０重量％を超えると、外観が均一透明を保ちにくくなり、０．１重量％未満であると、汚れを充分に除去しにくい。
界面活性剤（Ｄ）を複数種類含むときの界面活性剤（Ｄ）の含有量は、その合計量として定める。
なお、界面活性剤（Ｄ）が塩の場合、塩としてはナトリウム塩、カリウム塩、マグネシウム塩等が挙げられる。
【００３０】
キレート剤（Ｅ）の種類は特に限定されないが、キレート剤（Ｅ）としては、ヒドロキシカルボン酸系、アミノカルボン酸系、ホスホン酸系、リン酸系、エーテルカルボン酸塩系等が挙げられ、これらを併用してもよい。これらの中では、ヒドロキシカルボン酸系のキレート剤、及び、アミノカルボン酸系のキレート剤が好ましい。
キレート剤（Ｅ）の含有量は特に限定されないが、０．１〜２．０重量％であることが好ましい。キレート剤（Ｅ）を複数種類含むときのキレート剤（Ｅ）の含有量は、その合計量として定める。
【００３１】
ヒドロキシカルボン酸系のキレート剤としては、例えば、リンゴ酸、クエン酸、乳酸、酒石酸、グルコン酸又はこれらの塩が挙げられる。
【００３２】
アミノカルボン酸系のキレート剤としては、エチレンジアミン四酢酸（ＥＤＴＡ）、ニトリロ三酢酸（ＮＴＡ）、メチルグリシン二酢酸（ＭＧＤＡ）、ジエチレントリアミン五酢酸（ＤＴＰＡ）、ヒドロキシエチルエチレンジアミン三酢酸（ＨＥＤＴＡ）、トリエチレンテトラミン六酢酸（ＴＴＨＡ）、グルタミン酸二酢酸（ＧＬＤＡ）、ヒドロキシエチルイミノ二酢酸（ＨＩＤＡ）、ジヒドロキシエチルグリシン（ＤＨＥＧ）、１，３−プロパンジアミン四酢酸（ＰＤＴＡ）、１，３−ジアミノ−２−ヒドロキシプロパン六酢酸（ＤＰＴＡ−ＯＨ）、アスパラギン酸二酢酸（ＡＳＤＡ）、エチレンジアミンコハク酸（ＥＤＤＳ）又はこれらの塩等が挙げられる。
【００３３】
ホスホン酸系のキレート剤としては、ヒドロキシエチリデンホスホン酸（ＨＥＤＰ）、ニトリロトリメチレンホスホン酸（ＮＴＭＰ）、ホスホノブタントリカルボン酸（ＰＢＴＣ）、エチレンジアミンテトラメチレンホスホン酸（ＥＤＴＭＰ）等が挙げられる。
上記キレート剤はホスホン酸部分の少なくとも一部が塩になっていてもよい。
【００３４】
リン酸系のキレート剤としては、トリポリリン酸、ヘキサメタリン酸又はこれらの塩等が挙げられる。
【００３５】
上記キレート剤における塩としては、例えば、カリウム、ナトリウム等のアルカリ金属の塩；マグネシウム、カルシウム等のアルカリ土類金属の塩を挙げることができる。中でも、アルカリ金属の塩が好ましく、ナトリウム塩又はカリウム塩がより好ましい。
また、キレート剤とキレート剤の塩がアルカリ洗浄剤組成物の中で混在していてもよく、キレート剤がアルカリ洗浄剤組成物に含まれている場合にその後にナトリウムイオン等が加えられることによって塩となっていてもよい。
【００３６】
可溶化剤（Ｆ）としては、キシレンスルホン酸、クメンスルホン酸、カプリル酸、カプリン酸、オクチル酸又はこれらの塩等が挙げられる。
可溶化剤（Ｆ）の含有量は特に限定されないが、１．０〜３．０重量％であることが好ましい。可溶化剤（Ｆ）を複数種類含むときの可溶化剤（Ｆ）の含有量は、その合計量として定める。
【００３７】
溶剤（Ｇ）としては、グリコールエーテル系溶剤、グリコール系溶剤及びグリセリンからなる群から選択された少なくとも１種であることが好ましく、グリコールエーテル系溶剤であることがより好ましい。ジエチレングリコールモノブチルエーテルが特に好ましい。
溶剤（Ｇ）の含有量は特に限定されないが、１．０〜５．０重量％であることが好ましい。溶剤（Ｇ）を複数種類含むときの溶剤（Ｇ）の含有量は、その合計量として定める。
【００３８】
水（Ｈ）は、他の成分以外の残部として配合され、その配合量は特に限定されるものではない。水（Ｈ）としては、とくに限定されるものではないが、水道水、蒸留水、純水及びイオン交換水等が挙げられ、２種以上を併用してもよい。
【００３９】
本発明のアルカリ洗浄剤組成物は、そのｐＨが１２以上である。また、ｐＨが１２．５以上であることも好ましい。
ｐＨが高い強アルカリ性の洗浄剤組成物とすることによって、油汚れに対する洗浄力の高いアルカリ洗浄剤組成物とすることができる。
ｐＨの測定は、市販のｐＨメーター等を用いて行えばよいが、例えば、堀場製作所製、Ｄ−２１型を用いて測定することができる。
【００４０】
本発明のアルカリ洗浄剤組成物は、調合直後の粘度が２０〜２００ｍＰａ・ｓであることが好ましい。
洗浄剤組成物の粘度が上記範囲であると洗浄対象面に付着させた場合に流れ落ちにくく、汚れに対する接触時間を長くすることができる。
【００４１】
また、本発明のアルカリ洗浄剤組成物は、調合後３週間経過時の粘度低下率が５０％以下であることが好ましい。そして、調合後３週間経過した後のアルカリ洗浄剤組成物の粘度が２０〜１００ｍＰａ・ｓであることが好ましい。
調合後３週間経過時の粘度低下率の算出法は上述の通りである。
調合後３週間経過した後の洗浄剤組成物の粘度低下率が５０％以下であり、調合後３週間経過した後の粘度が上記範囲であると、長期間保管した後に洗浄剤組成物を使用した場合であっても、洗浄剤組成物を洗浄対象面に付着させた場合に流れ落ちにくく、汚れに対する接触時間を長くすることができる。
【００４２】
本発明のアルカリ洗浄剤組成物は、任意の方法で製造することができる。
例えば、アルカリ剤（Ａ）と、多糖類増粘剤（Ｂ）と、酸化防止剤（Ｃ）と、必要に応じてその他の成分とを添加し、攪拌混合すればよい。通常は水（Ｈ）をともに混合して、アルカリ洗浄剤組成物のｐＨ及び粘度を調整する。
アルカリ剤（Ａ）と多糖類増粘剤（Ｂ）が混在し、酸化防止剤（Ｃ）が混在しない期間が長いと、多糖類増粘剤（Ｂ）の変性が進むおそれがあるので、アルカリ剤（Ａ）と多糖類増粘剤（Ｂ）と酸化防止剤（Ｃ）を混在させるようにすることが好ましい。
例えば、あらかじめ多糖類増粘剤（Ｂ）と酸化防止剤（Ｃ）を混合した混合物を作製し、この混合物をアルカリ剤（Ａ）と混合するようにするとよい。
【００４３】
本発明のアルカリ洗浄剤組成物は、飲食店、ホテル等の厨房、スーパーマーケット、食品工場における食品製造装置等の洗浄に使用することができる。
また、洗浄対象物の材質としては、ステンレス、鋳鉄、鉄鋼、ステンレス、メッキ鋼板、アルミニウム、陶器、プラスチック等が挙げられる。
本発明のアルカリ洗浄剤組成物で洗浄する汚れとしては、油汚れを中心とした汚れが挙げられる。油汚れに加えて、タンパク質汚れやデンプン汚れが混在した汚れであってもよい。
【００４４】
本発明のアルカリ洗浄剤組成物は、洗浄対象物に塗布して使用してもよく、スプレーガン等を用いて洗浄対象物にスプレーして使用してもよい。
本発明のアルカリ洗浄剤組成物は適度な粘度を有しており、汚れとの接触が良好に維持されるので、アルカリ洗浄剤組成物を汚れに対してスプレーし、しばらくの間放置してからふき取るようにすると、汚れ落ちを促進させることができる。
また、本発明のアルカリ洗浄剤組成物をスポンジやウェス等に塗布し、スポンジやウェスで洗浄対象物を拭くようにして使用してもよい。
【実施例】
【００４５】
以下に本発明をより具体的に説明する実施例を示すが、本発明はこれらの実施例に限定されるものではない。なお実施例において、特に断らない限り「部」は「重量部」を「％」は「重量％」をそれぞれ意味する。
【００４６】
（アルカリ洗浄剤組成物の調製）
表１に示す処方に従い、各成分を混合して、各実施例及び比較例に係るアルカリ洗浄剤組成物を得た。
なお、表中に示す成分は全て純分換算した重量であり、各成分としては以下のものを用いた。
水酸化ナトリウム：（株）大阪ソーダ製  液体苛性ソーダ
水酸化カリウム：三京化成（株）製  液体苛性カリ
メタケイ酸ナトリウム：日本化学（株）製  
キサンタンガム：（株）カーギルジャパン製  ＳＡＴＩＡＸＡＮＥ  ＣＸ９３０
カルボキシメチルセルロースナトリウム：和光純薬工業（株）製  試薬
ビタミンＥ：東京化成工業（株）製  試薬
亜硫酸ナトリウム：キシダ化学（株）製  試薬
ジブチルヒドロキシトルエン：東京化成工業（株）製  試薬
カテキン（カテキン水和物）：東京化成工業（株）製  試薬
ＡＥＳ（アルキルエーテルカルボン酸塩）：テイカ（株）製  テイカボールＮＥ１２３０
ＬＡＳ（アルキルベンゼンスルホン酸塩）：東京化成工業（株）製  試薬
グルコン酸ナトリウム：扶桑化学工業（株）製
キシレンスルホン酸ナトリウム：テイカ（株）製  テイカトックスＮ１１４０
オクチル酸ナトリウム：東京化成工業（株）製  試薬
ジエチレングリコールモノブチルエーテル：ＫＨネオケム（株）製  ブチセノール２０
【００４７】
（ｐＨの測定）
各実施例及び比較例の調合直後の各アルカリ洗浄剤組成物に対し、ｐＨメーターを用いてｐＨを測定した。結果を表１に示した。
【００４８】
（粘度評価）
各実施例及び比較例の調合直後の各アルカリ洗浄剤組成物に対し、ＪＩＳ  Ｚ  ８８０３  に準拠し、Ｅ型粘度計を用いて粘度測定を行った。測定時の液温は２０℃、粘度計の回転数は２０ｒｐｍとした。
【００４９】
調合直後のｐＨ及び粘度を測定したアルカリ洗浄剤組成物６０ｇを、１００ｍＬ容器に入れて４５℃のインキュベーター内で静置保管した。１週間経過毎に取り出して粘度を測定した。１週間後〜４週間後までの粘度を測定し、各粘度測定の結果を表１に示した。
粘度測定の評価は、調合後３週間経過時の粘度低下率が５０％以下であるものを○と表記した。調合後３週間経過時の粘度低下率が５０％を超えるものを×と表記した。
【００５０】
【表１】
2019081834.tif 000002
【００５１】
表１の結果より、本発明のアルカリ洗浄剤組成物は、ｐＨが１２以上と高い強アルカリ性の洗浄剤組成物であり、貯蔵による粘度低下が抑制されていることが分かる。